(57)【特許請求の範囲】
【請求項１】
モジュールと、
このモジュールに固定されたパネルと、
前記モジュールの周部に固定されたリング部材であって、このリング部材の複数個所に、前記リング部材の上面及び外周面に夫々開放する凹みが設けられているとともに、相互間に隙間を形成して弾性変形可能な一対の係合凸部がその根元部を前記上面より下側に位置させて前記各凹みの底から上向きに突設されている前記リング部材と、
周部複数個所に切欠を有し、これらの切欠を前記一対の係合凸部に係合させて前記リング部材に取付けられ、前記パネルを覆うとともに前記切欠の周部が前記凹みを覆った状態に配設された時計用表示板と、を具備する時計であって、
前記各係合凸部が略四角柱状であり、
前記凹みが、この凹み内に配置された一対の前記係合凸部の前記隙間と反対側に位置された前記根元部の一側面からなる溝側面を有し一端が前記リング部材の外周面に開放された互に平行な一対の第１の凹み部位と、前記隙間に臨んだ前記根元部の他側面からなる溝側面を有し一端が前記リング部材の外周面に開放されて前記隙間の下部を兼ねた第２の凹み部位と、一対の前記第１の凹み部位の他端間にわたるとともに長手方向中央部に前記第２の凹み部位の他端が連続された第３の凹み部位とを有して形成されており、一対の前記第１の凹み部位が前記第２の凹み部位より深く形成されていることを特徴とする時計。
【請求項２】
前記各係合凸部の根元部が前記凹みの底に向けて次第に太く形成されていることを特徴とする請求項１に記載の時計。
【請求項３】
前記係合凸部を軸方向に沿って断面した状態で、前記係合凸部の根元部より上側部位と前記凹みの底面にわたってこれらを連続する円弧により、前記根元部の周面が形成されていることを特徴とする請求項２に記載の時計。
【請求項４】
前記凹みの各部の深さが同じであることを特徴とする請求項１から３のうちのいずれか一項に記載の時計。
【請求項５】
前記各係合凸部の前記隙間と反対側の側面に、前記係合凸部の中心軸線が延びる方向と平行に延びるビードが形成されており、このビードが前記切欠の縁に係合されていることを特徴とする請求項４に記載の時計。
【請求項６】
前記パネルが光電変換により発電する太陽電池パネルであることを特徴とする請求項１から５のうちのいずれか一項に記載の時計。
【請求項７】
前記パネルが通電された状態で発光する発光パネルであることを特徴とする請求項１から５のうちのいずれか一項に記載の時計。
【発明の詳細な説明】
【技術分野】
【０００１】
本発明は、時刻その他の表示をさせるモジュールに、発電用又は発光用のパネルが固定されるとともに、このパネルが時計用表示板で覆われた腕時計等の時計に係り、特に、時計用表示板を取付ける構成を改善した時計に関する。
【背景技術】
【０００２】
モジュール上に、ソーラーセル又はエレクトロルミネッセンスと、時計用表示板を固定した時計が、従来技術として知られている（例えば、特許文献１参照。）。
【０００３】
この従来技術で、樹脂成形体からなる補助リングは、その外周部上面の複数個所に一対の円柱突部を有しているとともに、下面に突起を有している。この補助リングの突起をモジュールに係合させて、このモジュールに補助リングが固定されている。これとともに、時計用表示板は、透明なアクリルやポリカーボネイト等の樹脂成形体で薄板状に形成されていて、その周部に複数の切欠が設けられている。そして、これらの切欠をモジュールの円柱突部に係合させることで、時計用表示板が固定されている。
【０００４】
詳しくは、一対の円柱突部は、相互間に隙間を有していて、その隙間方向に向かって弾性変形が可能に形成されている。時計用表示板の切欠は、その内側に配置される一対の円柱突部を弾性変形させた状態でこれらに係合されている。それにより、時計用表示板をその横ずれや回転が防止された状態に固定することができる。
【先行技術文献】
【特許文献】
【０００５】
【特許文献１】特許第４３９８５５５号公報（段落0016-0044、図１−図６）
【発明の概要】
【発明が解決しようとする課題】
【０００６】
従来技術に係る時計で、モジュール上から時計用表示板を外すには、ピンセットのような工具を用いて、時計用表示板をこじ上げることで行うことが一般的である。このようなこじ上げ操作は、円柱突部に係合している切欠の近傍位置で行うことが、効果的であり、好ましい。
【０００７】
しかし、従来技術では、時計用表示板の周部が、その切欠の周囲部分を含めて補助リングの上面に接するように設けられている。それにより、切欠の近傍位置で、時計用表示板の周部と補助リングの上面との間に、ピンセットのような工具を挿入し難いので、時計用表示板を容易に外し難い、という課題がある。
【０００８】
又、従来技術において、円柱突部の長さは、補助リングの外周部上面を起点としていて、短い。それにより、円柱突部の弾性変形がし難いため、円柱突部に切欠を係合させて時計用表示板を補助リングに固定する作業が面倒である。
【０００９】
以上のように従来技術は、補助リングの円柱凸部に対する時計用表示板の切欠の係合とその解除を伴ってなされる時計用表示板の着脱を容易に行うことが難しい、という課題がある。
【課題を解決するための手段】
【００１０】
前記課題を解決するために、本発明は、モジュールと、このモジュールに固定されたパネルと、前記モジュールの周部に固定されたリング部材であって、このリング部材の複数個所に、前記リング部材の上面及び外周面に夫々開放する凹みが設けられているとともに、相互間に隙間を形成して弾性変形可能な一対の係合凸部がその根元部を前記上面より下側に位置させて前記各凹みの底から上向きに突設されている前記リング部材と、周部複数個所に切欠を有し、これらの切欠を前記一対の係合凸部に係合させて前記リング部材に取付けられ、前記パネルを覆うとともに前記切欠の周部が前記凹みを覆った状態に配設された時計用表示板と、を具備することを特徴としている。
【００１１】
本発明で、モジュールとは、アナログ式の時計として実施する場合は、複数の時刻表示針を駆動するムーブメントを指しており、デジタル式の時計として実施する場合は、時刻等を示すディスプレイを駆動する電子回路を指している。本発明で、パネルとは、太陽電池パネル又は発光パネル等を指している。本発明で、リング部材の複数個所に夫々設けられた一対の係合凸部は、柱状に形成され、その平面形状は、略円形、略楕円形、略小判形、略台形、略四角形等のいずれでもよいとともに、これら係合凸部の根元部は、この根元部より上側部位と同じ断面であっても、或いは前記上側部位より太くかつ凹みの底に向けて次第に太く形成されていても差し支えない。更に、本発明で「根元部を（リング部材の）前記上面より下側に位置させて」とは、根元部の少なくとも下部がリング部材の上面より下側に位置されることを指しており、根元部全体が位置されることには制約されない。又、本発明で、時計用表示板とは、アナログ式の時計として実施する場合は、透明な文字板を指しており、デジタル式の時計として実施する場合は、時刻等を示すディスプレイの所望の部位に対向する窓を有し、この窓以外の部位がディスプレイを覆うカバー板（なお、この板は見切り板と通称されている。）を指している。
【００１２】
本発明では、リング部材に設けた凹みの底から一対の係合凸部を上向きに突設して、各係合凸部の根元部をリング部材の上面より下側に位置させたので、各係合凸部の長さを凹みの深さに応じて長くできるに伴い、これら係合凸部は相互間の隙間を狭める方向に容易に弾性変形することが可能である。そのため、一対の係合凸部に時計用表示板の切欠を係合させ易くなるので、モジュールに固定されたパネルを覆う時計用表示板をリング部材に容易に取付けることができる。時計用表示板が取付けられた状態では、その切欠の周部がリング部材の凹みを覆っているが、この凹みはリング部材の外周面に開放されている。そのため、時計用表示板を外すための工具を、リング部材の外側から凹みに容易に挿入することができ、それにより、時計用表示板の裏側に配置された工具で、リング部材の係合凸部に係合されている時計用表示板をこじり上げて外すことができる。
【００１３】
本発明の好ましい形態では、前記各係合凸部の根元部が前記凹みの底に向けて次第に太く形成されていることを特徴としている。
【００１４】
この好ましい形態の発明では、凹みの底と係合凸部の根元部の周面が、これらの間に鈍角を形成して連続し、若しくは角を形成することなく連続するので、係合凸部が弾性変形した状態での応力が根元部に集中し難い。それにより、時計に加わる振動等の外力によって係合凸部の根元部にクラックを生じる恐れが低減されて、リング部材への時計用表示板の取付け状態を確実に維持することが可能である、という利点を更に有する。
【００１５】
本発明の好ましい形態では、前記係合凸部を軸方向に沿って断面した状態で、前記係合凸部の根元部より上側部位と前記凹みの底面にわたってこれらを連続する円弧により、前記根元部の周面が形成されていることを特徴としている。
【００１６】
この好ましい形態の発明では、凹みの底と係合凸部の根元部の周面が、これらの間に角を形成することなく滑らかに連続される。そのため、根元部に応力がより集中し難くなるに伴い、根元部にクラックを生じる恐れがより低減される、という利点を更に有する。
【００１７】
本発明の好ましい形態では、前記各係合凸部が略四角柱状であることを特徴としている。この発明で、略四角柱状とは、係合凸部の横断面が長方形又は正方形であることを含んでいるだけではなく、切欠に係合する係合凸部の側面にビードが設けられている構成、若しくは、前記側面が外側に円弧状に突出するように形成されてその突出先端部で切欠に係合する構成等も含んでいる。
【００１８】
この好ましい形態では、係合凸部の横断面積が、係合凸部が円柱形状である場合に比較して大きいので、係合凸部全体を太くすることなく、時計用表示板の切欠に係合する係合凸部の弾性力が高められる。そのため、時計用表示板をこれが係合凸部から不用意に外れないように取付けることができる、という利点を更に有する。その上、横断面積を増やすために係合凸部を太い円柱形状とする場合に比較して、時計用表示板の切欠を殊更深くする必要がない。それにより、時計用表示板の周部を覆い隠す見切りの内径が小さくならないとともに、それに伴い胴内径を大きくする必要もない、という利点を更に有する。
【００１９】
本発明の好ましい形態では、前記凹みの各部の深さが同じであることを特徴としている。
この好ましい発明では、リング部材を成形する成形型を製造する場合に、凹みに相当する前記成形型の部位が凸凹で形成されることがないので、成形型の製造が容易である。そのため、型費が低減されるに伴い、リング部材の低コスト化を図ることできる、という利点を更に有する。
【００２０】
本発明の好ましい形態では、前記凹みが、この凹み内に配置された一対の前記係合凸部の前記隙間と反対側に位置された前記根元部の一側面からなる溝側面を有し一端が前記リング部材の外周面に開放された互に平行な一対の第１の凹み部位と、前記隙間に臨んだ前記根元部の他側面からなる溝側面を有し一端が前記リング部材の外周面に開放されて前記隙間の下部を兼ねた第２の凹み部位と、一対の前記第１の凹み部位の他端間にわたるとともに長手方向中央部に前記第２の凹み部位の他端が連続された第３の凹み部位とを有して形成されており、一対の前記第１の凹み部位が前記第２の凹み部位より深く形成されていることを特徴としている。
【００２１】
この好ましい形態の発明では、リング部材の外周面に一端が開放された第１の凹み部位の深さが深いので、時計用表示板を外す場合に、そのための工具を、より容易に時計用表示板の裏側に挿入して配置することが可能となる、という利点を更に有する。
【００２２】
本発明の好ましい形態では、前記各係合凸部の前記隙間と反対側の側面に、前記係合凸部の中心軸線が延びる方向と平行に延びるビードが形成されており、このビードが前記切欠の縁に係合されていることを特徴としている。
【００２３】
この好ましい形態の発明では、ビードを切欠の縁に係合させることにより、係合凸部の側面が容易かつ確実に切欠の縁に接して、時計用表示板をがたつくことなく取付けることが可能である、という利点を更に有する。
【００２４】
本発明の好ましい形態では、前記パネルが光電変換により発電する太陽電池パネルであることを特徴としている。
【００２５】
この好ましい形態の発明では、例えば電力で駆動されるモジュール等に供給される電力を、時計用表示板を透過した光を受ける太陽電池パネルで発電することができる、という利点を更に有する。
【００２６】
本発明の好ましい形態では、前記パネルが通電された状態で発光する発光パネルであることを特徴としている。
【００２７】
この好ましい形態の発明では、発光パネルがそれへの通電で発光して、時計用表示板に対するバックライト照明ができるので、時刻等の表示の視認性をより向上できる、という利点を更に有する。
【発明の効果】
【００２８】
本発明の時計によれば、リング部材の係合凸部の長さを長くできるとともに、係合凸部に係合される切欠を有した時計用表示板の裏側にこの表示板を外すための工具を容易に差込み可能であるので、係合凸部に対する切欠の係合とその解除を伴う時計用表示板の着脱が容易である、という効果がある。
【図面の簡単な説明】
【００２９】
【図１】本発明の第１実施形態に係る腕時計の一部を示す断面図である。
【図２】図１の腕時計が備えたムーブメントをこれに太陽電池パネル及び時計用表示板が取付けられた状態で示した略正面図である。
【図３】図２中Ｆ３部の拡大図である。
【図４】図３中Ｆ４−Ｆ４線に沿って示す断面図である。
【図５】図３中Ｆ５−Ｆ５線に沿って示す断面図である。
【図６】図１の腕時計が備えた凹み及びこの凹みから突設された一対の係合凸部を拡大して示す正面図である。
【図７】本発明の第２実施形態に係る腕時計の一部を示す前記図４相当の断面図である。
【図８】本発明の第３実施形態に係る腕時計の一部を示す前記図４相当の断面図である。
【図９】本発明の第４実施形態に係る腕時計の一部を示す前記図４相当の断面図である。
【発明を実施するための形態】
【００３０】
以下、本発明の第１の実施の形態について、図１〜図６を参照して詳細に説明する。
図１中符号１は、時計例えば携帯時計具体的には腕時計を示している。この腕時計１は、時計外装組立２と、モジュール例えばムーブメント２１と、パネル例えば太陽電池パネル２５と、リング部材３１と、時計用表示板例えば文字板４１を具備している。
【００３１】
時計外装組立２は、胴４及び裏蓋５を有した金属製又は合成樹脂製の外装部材６と、カバーガラス７を備えている。裏蓋５は胴４にねじ込まれて連結されている。なお、外装部材６は、胴４と裏蓋５が一体に形成されたワンピース型の構成であってもよい。カバーガラス７は、胴４に形成されたガラス支持部４ａの内側に液密に装着されている。
【００３２】
外装部材６は見切り４ｂを有している。図１に示された見切り４ｂは、胴４の内周に一体に形成されたものであるが、胴４と別体に成形されたリング形の部材であっても良い。をなしている。見切り４ｂは斜面４ｃを有し、この斜面４ｃはカバーガラス７の周部裏面に対向している。
【００３３】
ムーブメント２１は、後述の太陽電池パネル２５が発電する電力で駆動されるものであって、図示しないが前記電力を蓄積するための二次電池或いはキャパシタ等を備えている。ムーブメント２１は平面視円形である。このムーブメント２１は図示しない環状の中枠の内側に支持されている。中枠は、外装部材６に係合されて時計外装組立２内に組込まれている。
【００３４】
このムーブメント２１は係合部２２を有している。係合部２２は、ムーブメント２１の周部でかつ上面２１ａ側に寄せて設けられて、例えばムーブメント２１の周方向に連続する環状凸部で形成されている。図４に示すように係合部２２は、ムーブメント２１の上面２１ａに対してムーブメント２１の裏側（下側）方向に若干後退している。
【００３５】
太陽電池パネル２５は、図示しない基板に、光電変換により発電する発電素子としてソーラーセル（図示しない）が搭載されたパネルである。ソーラーセルは、結晶系であっても、アモルファス系であっても差し支えない。この太陽電池パネル２５は、ムーブメント２１の直径よりやや小径であり、接着部材２６を用いてムーブメント２１の上面２１ａに固定されている。接着部材２６として両面が粘着性を有する両面接着テープを好適に使用できる。
【００３６】
リング部材３１は合成樹脂の一体成形品である。リング部材３１は、平面視リング形をなしていて、その内径は太陽電池パネル２５の直径よりやや大きく、かつ、外径はムーブメント２１の直径より大きい。リング部材３１はその内面及び裏面（下面）に開放された係合溝３２を有している。この係合溝３２はリング部材３１の周方向に連続して環状に形成されている。
【００３７】
更に、リング部材３１は、凹み３３及び一対の係合凸部３５を複数個所に有しているとともに、裏面複数個所にフック部３８（図１に一個のみ図示）を有している。凹み３３は図２に示すようにリング部材３１の外周部の２箇所に例えば１８０度離れて設けられている。これらの凹み３３は、リング部材３１の上面３１ａ及び外周面に夫々開放されていて、図６に示すように一対の第１の凹み部位３３ａ、第２の凹み部位３３ｂ〜第４の凹み部位３３ｄとからなる。
【００３８】
一対の第１の凹み部位３３ａとこれらの間に位置された第２の凹み部位３３ｂは、互に平行である。これら第１の凹み部位３３ａと第２の凹み部位３３ｂの一端はいずれもリング部材３１の外周面に開放されている。第３の凹み部位３３ｃは一対の第１の凹み部位３３ａの他端間にわたって設けられており、この第３の凹み部位３３ｃの長手方向中央部に第２の凹み部位３３ｂの他端が連続されている。第４の凹み部位３３ｄは、一対の第１の凹み部位３３ａの一端部間にわたって設けられていて、その長手方向全体にわたってリング部材３１の外周面に開放されている。この第４の凹み部位３３ｄの長手方向中央部に第２の凹み部位３３ｂの一端部が連続されている。
【００３９】
一方の第１の凹み部位３３ａと第２の凹み部位３３ｂと、これらにわたった第３の凹み部位３３ｃ及び第４の凹み部位３３ｄの一端側部位とは、例えば四角環状をなして連続されている。同様に、他方の第１の凹み部位３３ａと第２の凹み部位３３ｂと、これらにわたった第３の凹み部位３３ｃ及び第４の凹み部位３３ｄの他端側部位も、例えば四角環状をなして連続されている。
【００４０】
第１の凹み部位３３ａ〜第４の凹み部位３３ｄの深さＤ１（図４及び図５参照）は同じである。このような凹み３３の各部の深さＤ１が同じであることにより、リング部材３１を成形する成形型を製造する場合に、凹み３３に相当する前記成形型の部位が凸凹に形成されることがない。そのため、成形型の製造が容易になり、型費が低減されるに伴い、リング部材３１の低コスト化を図ることできる。
【００４１】
一対の係合凸部３５は、各凹み３３の夫々に設けられていて、いずれも凹み３３の底から一体に上向きに突出されている。そのため、係合凸部３５の根元部３５ａは、好ましい例として全体がリング部材３１の上面３１ａより下側に位置されている。これら一対の係合凸部３５相互間に図４等に示すように隙間Ｇが形成されており、この隙間Ｇを狭める方向に一対の係合凸部３５は弾性変形できるように作られている。自由状態での隙間Ｇの幅は第２の凹み部位３３ｂの幅と同じである。
【００４２】
各係合凸部３５は、図６等に示すように隙間Ｇと反対側の係合凸部３５の一側面にビード３６を有しているとともに、前記一側面に直角に連続しかつリング部材３１の内周側に位置された他の側面にもビード３７を有しているももの、略四角柱状に形成されている。これら係合凸部３５の平面視形状は、略四角形状、好ましくは図３及び図６に示すように略長四角形状をなしている。この場合、係合凸部３５は、その長辺をなした側面がリング部材３１の径方向に沿うように設けられている。それにより、係合凸部３５は、その短辺をなした側面がリング部材３１の径方向に沿うように設けた場合に比較して、より弾性変形し易くなっている。
【００４３】
図６に示すようにビード３６，３７は、それらが設けられた側面の例えば幅方向中央部に位置されていて、その平面視の形状が円弧状の凸部からなる。ビード３６，３７は係合凸部３５の中心軸線（図示しない）が延びる方向と平行に延びている。図４及び図５に示すようにビード３６，３７の上端は係合凸部３５の上端より若干下がっており、ビード３６，３７の下端は係合凸部３５の根元部３５ａに達している。
【００４４】
係合凸部３５の根元部３５ａは、既述のように環状に連続した第１の凹み部位３３ａ〜第４の凹み部位３３ｄにより囲まれている。なお、隙間Ｇを形成する一対の係合凸部３５は、リング部材３１の外周面と面一な側面を有して形成することも可能であり、この場合、前記第４の凹み部位３３ｄを省略すればよい。
【００４５】
図４に示すように係合凸部３５の根元部３５ａの周面は、係合凸部３５を軸方向に沿って断面した状態で、根元部３５ａより上側部位と凹み３３の底面にわたってこれらを連続する円弧により形成されている。それにより、根元部３５ａの周面は、前記上側部位と凹み３３の底面との間に角を形成することなく連続されていて、それによって、係合凸部３５は凹み３３の底に向けて次第に太く形成されている。そのために、隙間Ｇに臨むことなくこの隙間Ｇの反対側に位置された係合凸部３５の根元部３５ａの一側面は、第１の凹み部位３３ａの溝側面３５ｂを兼ねている。同様に、隙間Ｇに臨んだ係合凸部３５の根元部３５ａの他側面は、第２の凹み部位３３ｂの溝側面３５ｃを兼ねている。
【００４６】
図１に示すようにリング部材３１は、そのフック部３８をムーブメント２１の係合部２２の下面に引掛けるとともに、係合溝３２を係合部２２の上面に係合することによって、ムーブメント２１に取付けられている。以上の取付けによって、１８０度離れた凹み３３が、図２に例示したように１２時−６時の方向に配置されるとともに、各係合凸部３５を除いたリング部材３１の上面３１ａが、太陽電池パネル２５の上面よりやや高く位置されるようになっている。なお、一対の凹み３３の配置は、１２時−６時の方向に制約されず、９時−３時の方向、或いはその他の方向に配置することも可能である。
【００４７】
前記文字板４１は、透明なアクリルやポリカーボネイト等の樹脂成形体で薄板状に形成されていて、図示しないが目盛、数字、模様等の表示が設けられている。円形の文字板４１はリング部材３１の外径よりやや小径である。文字板４１はその周部複数個所に切欠４２を有し、これらの切欠４２は文字板４１の周面に開放されている。
【００４８】
これらの切欠４２は、複数の前記凹み３３と同数でかつこれら凹み３３の配置に適合して設けられている。したがって、図２に示すように二個の凹み３３は文字板４１の周方向に１８０度離れている。各切欠４２は、隙間Ｇを形成して隣接する一対の係合凸部３５が丁度入ることができるとともに、図３に示すように一対の第１の凹み部位３３ａ及び第３の凹み部位３３ｃを覆い隠すことができる大きさに形成されている。
【００４９】
文字板４１は、隙間Ｇを形成した一対の係合凸部３５に切欠４２を係合させてリング部材３１に取付けられている。この取付けは、太陽電池パネル２５とリング部材３１が装着されているムーブメント２１に対して、隙間Ｇを形成した一対の係合凸部３５と文字板４１の切欠４２を位置合わせした状態で、ムーブメント２１の上方から文字板４１を下方に押圧することで実施できる。
【００５０】
それにより、隙間Ｇを形成して隣接した一対の係合凸部３５を、隙間Ｇを狭める方向に弾性変形させながら、これら係合凸部３５が切欠４２に軽圧入され、図３等に示すようにビード３６が切欠４２に係合、つまり、切欠４２の互に平行な縁に密接されるとともに、ビード３７が切欠４２に係合、つまり、前記平行な縁間にわたった切欠４２の奥の縁に密接される。更に、こうした密接状態が維持されたままで、文字板４１の裏面がリング部材３１の上面３１ａに当たることで、前記押圧操作が阻止されるので、文字板４１の取付けが完了する。
【００５１】
各係合凸部３５にビード３６，３７を設けたことにより、係合凸部３５の側面を容易かつ確実に切欠４２に係合させて、文字板４１をがたつかないように取付けることが可能である。しかも、ビード３６は係合凸部３５の側面の幅内の任意の位置に設け得るので、係合凸部３５による文字板４１の切欠４２に対する係合位置の設計上の自由度が高い。
【００５２】
係合凸部３５の根元部３５ａはそれより上側部位よりも太く形成されているが、この根元部３５ａはリング部材３１の上面３１ａより下側に位置されている。そのため、既述の操作による文字板４１の取付けにおいて、文字板４１の裏面がリング部材３１の上面３１ａに当たることを、根元部３５ａが妨げることがない。
【００５３】
以上のように取付けられた文字板４１は、図１に示したようにカバーガラス７の裏面に対向され、かつ、この文字板４１の周部は前記見切り４ｂで覆われている。文字板４１は透明であるので、カバーガラス７及び文字板４１を透過した自然光又は人工光が太陽電池パネル２５に入射されるに伴い、この太陽電池パネル２５のソーラーセルは光電変換して発電する。したがって、この腕時計１は、以上のように発電された電力を二次電池やキャパシタに蓄えて、その電力でムーブメント２１を駆動することができる。
【００５４】
前記構成を備えた腕時計１では、既述のようにリング部材３１に設けた凹み３３の底から一対の係合凸部３５が上向きに突設されて、各係合凸部３５の根元部３５ａはリング部材３１の上面３１ａより下側に位置されている。そのため、各係合凸部３５の全長Ｌ（図４及び図５参照）が凹み３３の深さＤ１に応じて長くなり、これら係合凸部３５は隙間Ｇを狭める方向への弾性変形が容易である。
【００５５】
そのため、一対の係合凸部３５に文字板４１の切欠４２を係合させ易くなる。それに伴い、ムーブメント２１に固定された太陽電池パネル２５を覆う文字板４１をリング部材３１に容易に取付けることができる。
【００５６】
以上のように文字板４１を取付ける各係合凸部３５は略四角柱状であるので、その横断面積は、係合凸部が円柱形状である場合に比較して大きい。そのため、係合凸部３５全体を太くすることなく、文字板４１の切欠４２に係合する弾性力が高められるので、文字板４１を係合凸部３５から不用意に外れないように取付けることができる。
【００５７】
それにも拘らず、既述のように各係合凸部３５の全長Ｌが長いので、文字板４１をうねるように変形させる程の過大な弾性力を文字板４１に与えないようにできる。それにより、透明な文字板４１がうねった状態となった場合の不具合、つまり、文字板４１の各部での光の反射が異なって、文字板４１がうねった状態が容易に視認可能となり、腕時計１の体裁が損なわれる、という不具合が生じないようにできる。
【００５８】
更に、各係合凸部３５の横断面積を増やすために、これら係合凸部３５を太い円柱形状とする場合に比較して、文字板４１の切欠４２を殊更深くする必要がない。それにより、文字板４１の周部を覆い隠す見切り４ｂの内径が小さくならないことに伴い、胴内径を大きくする必要もないので、腕時計１が大形になることもない。しかも、既述のように見切り４ｂの内径が小さくならないことにより、文字板４１の実際の表示面積が減少することもない。
【００５９】
既述のように弾性変形された状態を維持して文字板４１に切欠４２に係合された各係合凸部３５の根元部３５ａは、凹み３３の底に向けて次第に太く形成されている。それだけではなく、凹み３３の底と根元部３５ａの周面は、これらの間に角を形成することなく連続しているので、根元部３５ａに応力が集中し難い。それにより、腕時計１に加わる振動等の外力によって係合凸部３５の根元部３５ａにクラックを生じる恐れが低減される。同様に、係合凸部３５の根元部３５ａより上側部位と根元部３５ａの周面も、それらの間に角を形成することなく連続しているので、この点でも根元部３５ａに応力が集中し難い。したがって、リング部材３１への文字板４１の取付け状態を確実に維持することができる。
【００６０】
又、リング部材３１に取付けられた文字板４１の切欠４２の周部は、リング部材３１の上面３１ａに接して凹み３３を覆っているが、この凹み３３はリング部材３１の外周面に開放されている。
【００６１】
そのため、メンテナンスにおいて文字板４１を外す必要がある場合、文字板４１を外すためのピンセット等の工具（図示しない）を、リング部材３１の外側から凹み３３の第１の凹み部位３３ａに容易に挿入できる。それにより、工具を文字板４１の裏側に配置した上で、リング部材３１の係合凸部３５に係合されている文字板４１を、工具でこじり上げて外すことができる。加えて、このこじ上げ操作を、係合凸部３５に係合している切欠４２の近傍位置で行うことができる。しかも、既述のように係合凸部３５の全長Ｌが長く、その弾性変形が容易であるので、前記こじ上げ操作に過大な操作力を要しない。よって、文字板４１を比較的容易に外すことができる。
【００６２】
図７は本発明の第２実施形態を示している。この第２実施形態に係る腕時計は、以下説明する事項以外は図７に示されていない構成を含めて第１実施形態と同じである。そのため、第１実施形態と同じ構成については第１実施形態と同じ符号を付して、その説明を省略する。
【００６３】
第２実施形態では、一対の第１の凹み部位３３ａの深さＤ２が、第２の凹み部位３３ｂの深さＤ１より深く形成されている。
【００６４】
以上説明した以外の構成は第１実施形態と同じである。そのため、第２実施形態では、第１実施形態で既に説明したのと同じ理由によって、第１実施形態と同じ作用を得て、本発明の課題を解決できる。したがって、リング部材３１の係合凸部３５に対する文字板４１の切欠４２の係合とその解除を伴う文字板４１の着脱が容易な腕時計を提供できる。
【００６５】
しかも、第２実施形態では、第１の凹み部位３３ａの深さＤ２が深いので、文字板４１を外す際に、文字板４１を外すための工具をより容易に第１の凹み部位３３ａに挿入することができる。
【００６６】
図８は本発明の第３実施形態を示している。この第３実施形態に係る腕時計は、以下説明する事項以外は図８に示されていない構成を含めて第１実施形態と同じである。そのため、第１実施形態と同じ構成については第１実施形態と同じ符号を付して、その説明を省略する。
【００６７】
第３実施形態では、一対の第１の凹み部位３３ａの幅Ｗ１が、第２の凹み部位３３ｂの幅Ｗ２より広く形成されている。これとともに、係合凸部３５の根元部３５ａに対向する第１の凹み部位３３ａの溝側面３５ｄは、第１の凹み部位３３ａの底面に対して略直角に形成されている。なお、この溝側面３５ｄは、第１の凹み部位３３ａの底面との間に角を形成することなく連続する曲面で形成することもできる。
【００６８】
以上説明した以外の構成は第１実施形態と同じである。そのため、第３実施形態では、第１実施形態で既に説明したのと同じ理由によって、第１実施形態と同じ作用を得て、本発明の課題を解決できる。したがって、リング部材３１の係合凸部３５に対する文字板４１の切欠４２の係合とその解除を伴う文字板４１の着脱が容易な腕時計を提供できる。
【００６９】
しかも、第３実施形態では、第１の凹み部位３３ａの幅Ｗ１が広いので、文字板４１を外すための工具に幅が広い工具を用いることができる。そのため、文字板４１を外す際に、文字板４１の裏面一箇所にこじり力が集中することを抑制しつつ、文字板４１をこじり上げることができる。
【００７０】
図９は本発明の第４実施形態を示している。この第４実施形態に係る腕時計は、以下説明する事項以外は図９に示されていない構成を含めて第３実施形態と同じである。そのため、第３実施形態と同じ構成については第３実施形態と同じ符号を付して、その説明を省略する。
【００７１】
第４実施形態では、隙間Ｇを形成して隣接した一対の係合凸部３５の根元部３５ａは、これら係合凸部３５を軸方向に沿って断面した状態で、係合凸部３５の根元部３５ａより上側部位と凹み３３の底面にわたってこれらを連続する斜面３５ｅにより、根元部３５ａの周面が形成されている。それにより、凹み３３の底面と根元部３５ａの周面は、鈍角をなして連続されているとともに、根元部３５ａの周面と係合凸部３５の根元部３５ａより上側部位も、鈍角をなして連続されているが、凹み３３の底に向けて根元部３５ａが次第に太く形成されていることでは第３実施形態と同様である。
【００７２】
以上説明した以外の構成は第３実施形態と同じである。そのため、第４実施形態では、第３実施形態で既に説明したのと同じ理由によって、第３実施形態と同じ作用を得て、本発明の課題を解決できる。したがって、リング部材３１の係合凸部３５に対する文字板４１の切欠４２の係合とその解除を伴う文字板４１の着脱が容易な腕時計を提供できる。
【００７３】
なお、本発明は前記各実施形態には制約されない。例えば、前記各実施形態において太陽電池パネルに代えて発光パネルを用いることが可能である。の発光パネルには、例えばエレクトロルミネッセンスからなるパネルを好適に使用でき、この発光パネルは、時計外装組立に内蔵された二次電池等から供給される電力で発光される。こうして実施する場合には、発光パネルがそれへの通電で発光して、この発光パネルで時計用表示板に対するバックライト照明ができるため、時刻等の表示の視認性をより向上できる。又、本発明は、腕時計以外に懐中時計にも適用できる。
【符号の説明】
【００７４】
１…腕時計（時計）
２１…ムーブメント（モジュール）
２１ａ…ムーブメント（モジュール）の上面
２５…太陽電池パネル（パネル）
３１…リング部材
３１ａ…リング部材の上面
３３…凹み
Ｄ１…凹みの深さ
３３ａ…凹みの第１の凹み部位
３３ｂ…凹みの第２の凹み部位
３３ｃ…凹みの第３の凹み部位
３５…係合凸部
３５ａ…係合凸部の根元部
３５ｂ…溝側面
３５ｃ…溝側面
３６…ビード
４１…文字板（時計用表示板）
４２…切欠
【図１】
0005462038.tif 000002
【図２】
0005462038.tif 000003
【図３】
0005462038.tif 000004
【図４】
0005462038.tif 000005
【図５】
0005462038.tif 000006
【図６】
0005462038.tif 000007
【図７】
0005462038.tif 000008
【図８】
0005462038.tif 000009
【図９】
0005462038.tif 000010